(57)【要約】【課題】  棒状飯塊をその端面を含んで包装できる包装シートの構成の簡素化。【解決手段】  外フィルム２と内フィルム３との間にシート状食品４を挟んでおり、内フィルム３は２枚のフィルム片31、31の内側の側縁どうしを重ねて形成され、両フィルム片31、31は飯塊５の端面に被さる端面被せ部31a、31aを有しており、外フィルム２は内フィルム３がフィルム片31、31に分断できるのと同様に分断できる分断可能部21を有している包装シートにおいて、両フィルム片31、31は外フィルム２の長手方向の側縁の全長に亘ってはみ出したはみ出し部32、32を有する矩形に形成され、はみ出し部32、32の一部が端面被せ部31a、31aとなり、フィルム片31、31の内端どうしは折ることなく重なっている包装シート。【選択図】  図４
0003114033.tif 000002
【実用新案登録請求の範囲】
【請求項１】
外フィルム(２)と内フィルム(３)との間にシート状食品(４)を挟んでおり、内フィルム(３)は２枚のフィルム片(31)(31)の内端どうしを重ねて形成され、両フィルム片(31)(31)は飯塊(５)の端面に被さる端面被せ部(31a)(31a)を有している包装シートにおいて、両フィルム片(31)(31)は外フィルム(２)の長手方向の側縁の全長に亘ってはみ出したはみ出し部(32)(32)を有する矩形に形成され、はみ出し部(32)(32)の一部が端面被せ部(31a)(31a)となり、フィルム片(31)(31)の内端どうしは折ることなく重なっている包装シート。
【請求項２】
シート状食品は(４)はシート状海苔(40)であって、シート状海苔(40)には互いに交叉する複数組の仮想線群(Ａ)(Ｂ)上に断続的な切込み(41)(42)が施されて、仮想線群(Ａ)(Ｂ)で囲まれる１つ１つの細かな領域(43)(43)に分断可能である請求項１に記載の包装シート。
【請求項３】
各組の仮想線群(Ａ)(Ｂ)は、夫々平行線の集合である請求項２に記載の包装シート。
【請求項４】
請求項１乃至４の何れかに記載の包装シートの内フィルム(３)上に、そのフィルム片(31)(31)の重なり部(33)と直交して横長の飯塊(５)が載り、フィルム片(31)(31)のはみ出し部(32)(32)の一部で該飯塊(５)の端面を覆うと共に、飯塊(５)の周面に包装シート(１)を巻き付けて、巻付け端を止着手段(６)にて止着している包装飯塊。
【考案の詳細な説明】
【技術分野】
【０００１】
本考案は、外フィルムと内フィルムとの間にシート状食品を挟んだ包装シート及び該包装シートにて横長の飯塊を包んだ包装飯塊に関するものである。
【背景技術】
【０００２】
この種包装シートにおいて、横長の飯塊の両端面もフィルムで覆うことのできるものが、図７、図８、図９に示すもの(特許文献１)、図１０、図１１に示すもの(特許文献２)等がある。
前者の包装シート(１)は、図７に示す如く、外フィルム(２)と内フィルム(３)との間にシート状海苔(40)を挟んでおり、内フィルム(３)は２枚のフィルム片(31)(31)の、互いの内端どうしを重ねて形成され、両フィルム片(31)(31)は飯塊(５)の端面に被さる端面被せ部(31a)(31a)を外向きに突設して略Ｔ字状に形成されている。
外フィルム(２)はカットテープ(23)等の分断可能部(21)を有している。
図８に示す如く、内フィルム(３)上に飯塊(５)を載せ、端面被せ部(31a)(31a)を飯塊(５)の端面に被せてから、包装シート(１)を飯塊(５)の周面に巻き付け、巻付け終端をラベル(62)の貼付け等の止着手段(６)によって止める。
【０００３】
図１０、図１１に示す後者の包装シート(１)も、外フィルム(２)と内フィルム(３)との間にシート状海苔(40)を挟んでおり、内フィルム(３)は２枚のフィルム片(31)(31)の内端どうしを重ねて形成される。
フィルム片(31)(31)は矩形であって、内端側を略１／３幅で折り返し、折り重なり部どうしを重ねており、両フィルム片(31)(31)の重なり部は４重に重なっている。
図１１に示す如く、内フィルム(３)と外フィルム(２)の夫々の中心を揃えて重ねると、内フィルム(３)の左右両端部が外フィルム(２)から大きくはみ出し、該はみ出し部(32)(32)には、フィルムの重なりはない。
該はみ出し部(32)(32)の一部が飯塊(５)に対する端面被せ部(31a)(31a)となる。
【０００４】
上記特許文献１、２の包装シートは、何れも飯塊(５)を包装している状態では、シート状海苔(40)が湿気ることを防止できる。又、シート状海苔(40)だけが飯塊(５)に被さる様に包装を解くことができる。
【０００５】
【特許文献１】特開２００４−２６２７０号公報
【特許文献２】特開２００２−１０１８３２号公報
【考案の開示】
【考案が解決しようとする課題】
【０００６】
包装シートは、夫々ドラムに巻回された外フィルム用の長尺フィルムと、内フィルムの各フィルム片用の長尺フィルムを、ドラムから連続的に引き出しつつ、フィルム間にシート状海苔を挟んで、フィルムの重なり部を熱溶着し、包装シート単位に切断して製造される。
【０００７】
従って、特許文献１の包装シートの様に、Ｔ字状のフィルム片(31)(31)を用いる場合、ドラムに巻回した長尺帯状のフィルムを、Ｔ字状を呈する様に不要部分を連続的に打抜く工程及び装置が必要となり、包装シート製造ラインが大型化且つ複雑化する。又、フィルムの打抜きカスが製造ラインに紛れ込んでトラブルを招来することを防止するために、フィルムの打抜きカスを製造ラインから確実に排出する装置を必要とする。
【０００８】
特許文献２の包装シートの場合、製造ラインにフィルム片(31)用の帯状シートを折り返すための装置が必要であり、やはり包装シート製造ラインの大型化、複雑化は避けられない。
【０００９】
又、従来の包装シートに用いられるシート状海苔(40)は、飯塊と一緒に噛み切り難い場合がある。
【００１０】
本考案は上記問題を解決する包装シート及び包装飯塊を明らかにするものである。
【課題を解決するための手段】
【００１１】
請求項１の包装シートは、外フィルム(２)と内フィルム(３)との間にシート状食品(４)を挟んでおり、内フィルム(３)は２枚のフィルム片(31)(31)の内端どうしを重ねて形成され、両フィルム片(31)(31)は飯塊(５)の端面に被さる端面被せ部(31a)(31a)を有している包装シートにおいて、両フィルム片(31)(31)は外フィルム(２)の長手方向の側縁の全長に亘ってはみ出したはみ出し部(32)(32)を有する矩形に形成され、はみ出し部(32)(32)の一部が端面被せ部(31a)(31a)となり、フィルム片(31)(31)の内端どうしは折ることなく重なっている。
【００１２】
請求項２は請求項１の包装シートにおいて、シート状食品は(４)はシート状海苔(40)であって、シート状海苔(40)には互いに交叉する複数組の仮想線群(Ａ)(Ｂ)上に断続的な切込み(41)(42)が施されて、仮想線群(Ａ)(Ｂ)で囲まれる１つ１つの細かな領域(43)(43)に分断可能である。
【００１３】
請求項３は、請求項２の包装シートにおいて、各組の仮想線群(Ａ)(Ｂ)は、夫々平行線の集合である。
【００１４】
請求項４の包装シートは、請求項１乃至３の何れからに記載の包装シートの内フィルム(３)上に、そのフィルム片(31)(31)の重なり部(32)と直交して飯塊(５)が載り、フィルム片(31)(31)のはみ出し部(32)(32)の一部で該飯塊(５)の端面を覆うと共に、飯塊(５)の周面に包装シート(１)を巻き付けて、巻付け端を止着手段(６)にて止着している。
【考案の効果】
【００１５】
請求項１の包装シートは、従来の様に、内フィルム(３)のフィルム片(31)(31)は、Ｔ字状ではなく、或いは折返しもないので、包装シート製造ライン上で、ドラムに巻回した長尺帯状フィルムをＴ字状に打抜く装置、或いは帯状フィルムを折り返す装置は不要であり、包装シート製造ラインを小型化、簡素化できる。
【００１６】
請求項２の包装シートは、シート状食品(４)がシート状海苔(40)であり、断続的な切込み(41)(42)によって、細かな噛み切り領域(43)に区画されているから、歯が当たった近傍の切込み(41)(42)からシート状海苔(40)を抵抗なく分断できる。
【００１７】
請求項３は、請求項２の包装シートにおいて、各組の仮想線群(Ａ)(Ｂ)は、夫々平行線の集合であるから、各組毎の切込み(41)(41)、(42)(42)は、ミシン目(断続的な切込み)を施すための回転刃を１本の回転軸に多数枚取り付けて能率的に施すことができる。
【００１８】
請求項４の包装飯塊は、請求項２と同様の効果を奏することができる。
【考案を実施するための最良の形態】
【００１９】
図１に示す如く、包装シート(１)は、夫々長方形の外フィルム(２)と内フィルム(３)との間に、長方形のシート状食品(４)を挟んでいる。
図２に示す如く、外フィルム(２)と内フィルム(３)は、シート状食品(４)を囲んで線状に溶着(11)(11)が施されている。
【００２０】
外フィルム(２)は長さ約２０cm、幅長さ約１２cmであり、長手方向に裂け易い方向性フィルムである。
内フィルム(３)は２枚のフィルム片(31)(31)の、互いの内端どうしを重ねて形成されている。両フィルム片(31)(31)は、外フィルム(２)と同じ大きさであって、約２cm幅で重なっている。
実施例ではフィルム片(31)(31)の重なり部(33)は、単にフィルム片の端縁が重なっているだけであるが、重なり部分(33)の複数箇所を、簡単に剥離可能な程度に弱くスポット熱溶着してもよい。
【００２１】
外フィルム(２)は、内フィルム(３)のフィルム片(31)(31)の重なり部(33)に沿う方向に分断できる分断可能部(21)を有している。実施例の分断可能部(21)は、外フィルム(２)の一方の端縁に、２箇所に短い切込み(22)(22)を施したものであり、切込み(22)(22)間を摘んで外フィルム(２)の反対側の端部側へ引っ張ると、切込み(22)(22)間の幅で外フィルム(２)を分断できる。
【００２２】
図３に示す如く、外フィルム(２)と内フィルム(３)を中心を揃えて重ねると、内フィルム(３)の左右両端部が外フィルム(２)から大きくはみ出し、該はみ出し部(32)(32)の一部が飯塊(５)に対する端面被せ部(31a)(31a)となる。
【００２３】
飯塊(５)は、かやくご飯の塊或いは白米の塊であり、具が収容されていてもよい。飯塊(５)は長さ約１０cmで、断面が略円形又は略四角形である。
【００２４】
シート状食品(４)は、長さ約１８cm、幅約１０cmであり、幅は飯塊(５)の長さに略等しく、長さは飯塊(５)を約１.２〜１.５周する長さである。
実施例のシート状食品は(４)はシート状海苔(40)である。
図６に示す如く、シート状海苔(40)には、互いに直角に交叉する複数組の仮想線群(Ａ)(Ｂ)上に断続的な切込み(41)(42)が施されて、仮想線群(Ａ)(Ｂ)で囲まれる１つ１つの細かな領域(43)(43)に分断可能である。
【００２５】
実施例の場合、各仮想線群(Ａ)(Ｂ)は、夫々平行仮想線(ａ)(ａ)、(ｂ)(ｂ)の集合である。  夫々の仮想線群(Ａ)(Ｂ)の平行仮想線(ａ)(ａ)、(ｂ)(ｂ)のピッチは、０.５cm乃至１cm程度が望ましい。実施例では、一方の仮想線群(Ａ)の平行仮想線(ａ)(ａ)のピッチは約０.５cm、他方の仮想線群(Ｂ)の平行仮想線(ｂ)(ｂ)のピッチは約１cmである。
尚、仮想線群(Ａ)(Ｂ)は、直角に交わる必要はなく、互いに交叉していれば、交叉角度は問わない。又、仮想線群(Ａ)(Ｂ)と、シート状海苔(40)の側縁とが成す角度も問わない。更に、仮想線群(Ａ)(Ｂ)は、２組に限ることはなく、複数組であればよい。
【００２６】
上記包装シート(１)によって飯塊(５)を包装するには、図４に示す如く、内フィルム(３)上に、フィルム片(31)(31)の重なり部(33)に直交して飯塊(５)を載せる。次に、内フィルム(３)のはみ出し部(32)(32)を上向きに折る。はみ出し部(32)(32)の一部が飯塊(５)の端面に被さる。即ち、はみ出し部(32)(32)の飯塊(５)の端面に被さった部分が端面被せ部(31a)(31a)である。
【００２７】
次に、はみ出し部(32)(32)を互いに内側に折り畳んで、包装シート(１)を飯塊(５)の周面に巻き付ける。図５に示す如く、巻付け端を、剥離可能な弱いスポット熱溶着(61)等の止着手段(６)で止め、横長の包装飯塊が完成する。外フィルム(２)は後記の如く、分断可能部(21)にて分断されるから、止着手段(６)は分断可能部(21)上から外れているのが望ましい。
【００２８】
シート状海苔(40)は、外フィルム(２)と内フィルム(３)に挟まれて両フィルム(２)(３)に収納されており、外気や飯塊(５)からの湿気から遮断されている。従って、シート状海苔(40)の歯ごたえのある食感を失わない。
飯塊(５)の両端面を含む全面に包装シートが被さっているため、異物の侵入を防ぐことができ、衛生的である。又、飯塊(５)の乾燥を防止して風味を損なわない。
【００２９】
飯塊(５)を食するには、止着手段(６)を外し、外フィルム(２)の切込み(22)(22)間を摘んで、外フィルム(２)の反対側に引っ張って外フィルム(２)を分断する。
包装シート(１)の左右両端を引っ張ると、シート状海苔(40)だけが飯塊(５)に被さった状態で包装を解くことができる。
従来であれば飯塊(５)を食するとき、飯塊(５)に被さったシート状海苔(40)の噛み切れが悪くて、食べ難いことがあったが、前記の如く、シート状海苔(40)は、細かな噛み切り領域(43)に区画されているから、歯が当たった近傍の切込み(41)(42)からシート状海苔(40)が千切れるので、食べ易くなる。
【００３０】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【００３１】
例えば、外フィルム(２)の分断可能部(21)は、細帯状テープを該フィルムに接着した所謂カットテープでもよい。カットテープは１本でも、平行に複数本設けてよい。
又、外フィルム(２)の全長に亘って断続的な切込みを施して分断可能部(21)とすることもできる。
【図面の簡単な説明】
【００３２】
【図１】包装シートの分解斜面図である。
【図２】包装シートの斜面図である。
【図３】図２Ｘ−Ｘ線に沿う断面図である。
【図４】包装手順の説明図である。
【図５】包装飯塊の斜面図である。
【図６】シート状海苔の部分拡大斜面図である。
【図７】従来例の包装シートの分解斜面図である。
【図８】従来の包装シートの斜面図である。
【図９】従来の包装飯塊の斜視図である。
【図１０】他の従来の包装シートの分解斜面図である。
【図１１】同上の包装シートの斜面図である。
【符号の説明】
【００３３】
１  包装シート
２  外フィルム
３  内フィルム
31  フィルム
32  はみ出し部
31a  端面被せ部
４  シート状食品
40  シート状海苔
５  飯塊
【図１】
0003114033.tif 000003
【図２】
0003114033.tif 000004
【図３】
0003114033.tif 000005
【図４】
0003114033.tif 000006
【図５】
0003114033.tif 000007
【図６】
0003114033.tif 000008
【図７】
0003114033.tif 000009
【図８】
0003114033.tif 000010
【図９】
0003114033.tif 000011
【図１０】
0003114033.tif 000012
【図１１】
0003114033.tif 000013
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
外フィルム(２)と内フィルム(３)との間にシート状食品(４)を挟んでおり、内フィルム(３)は２枚のフィルム片(31)(31)の内端どうしを重ねて形成され、両フィルム片(31)(31)は飯塊(５)の端面に被さる端面被せ部(31a)(31a)を有している包装シートにおいて、両フィルム片(31)(31)は外フィルム(２)の長手方向の側縁の全長に亘ってはみ出したはみ出し部(32)(32)を有する矩形に形成され、はみ出し部(32)(32)の一部が端面被せ部(31a)(31a)となり、フィルム片(31)(31)の内端どうしは折ることなく重なっている包装シート。
【請求項２】
シート状食品は(４)はシート状海苔(40)であって、シート状海苔(40)には互いに交叉する複数組の仮想線群(Ａ)(Ｂ)上に断続的な切込み(41)(42)が施されて、仮想線群(Ａ)(Ｂ)で囲まれる１つ１つの細かな領域(43)(43)に分断可能である請求項１に記載の包装シート。
【請求項３】
各組の仮想線群(Ａ)(Ｂ)は、夫々平行線の集合である請求項２に記載の包装シート。
【請求項４】
請求項１乃至３の何れかに記載の包装シートの内フィルム(３)上に、そのフィルム片(31)(31)の重なり部(33)と直交して横長の飯塊(５)が載り、フィルム片(31)(31)のはみ出し部(32)(32)の一部で該飯塊(５)の端面を覆うと共に、飯塊(５)の周面に包装シート(１)を巻き付けて、巻付け端を止着手段(６)にて止着している包装飯塊。